(57)【要約】【課題】  煉瓦積み建築物１のとくに壁部分に耐震性を付与すること【解決手段】木造建築物１であって、壁３が壁構造材５と、該壁構造材５の外側に間隔をあけて基礎１３に立設される複数の縦筋９と、最下段の煉瓦８が基礎１３に固着されるとともに縦筋９が挿通される煉瓦８を含め多数の煉瓦８を積み上げてなる面状煉瓦体７と、壁構造材５の適宜箇所に固着される複数の控金具１５と、該控金具１５に支承される複数の横筋１１とからなる。横筋１１は縦筋９の外側に連係して配設され、壁構造材５と面状煉瓦体７との間に一定の間隙からなる通気層１９を設け、該通気層１９を基礎１３と１階床２３との間に設ける床下空間２２に連通させ、外気を通気層１９及び床下空間２２に流通させる。【選択図】        図２
2007284973.tif 000002
【特許請求の範囲】
【請求項１】
木造建築物において、壁を構成する壁構造材と、該壁構造材の外側に間隔をあけて基礎に立設される複数の縦筋と、最下段の煉瓦が基礎に固着されるとともに上記縦筋が挿通される煉瓦を含め多数の煉瓦を積み上げてなる面状煉瓦体と、上記壁構造材の適宜箇所に固着される複数の控金具と、該控金具に支承される複数の横筋とからなり、上記横筋は上記縦筋の外側に連係して配設され、上記壁構造材と上記面状煉瓦体との間に一定の間隙からなる通気層を設け、該通気層を上記基礎と１階床との間に設ける床下空間に連通させ、外気を上記通気層及び床下空間に流通させることを特徴とする煉瓦積み建築物。
【請求項２】
請求項１記載の煉瓦積み建築物において、上記基礎の立上り部に床下換気口を設け該床下換気口に対応する部位の面状煉瓦体に開口部を設けることを特徴とする煉瓦積み建築物。
【請求項３】
請求項１記載の煉瓦積み建築物において、上記壁構造材は断熱材を内蔵することを特徴とする煉瓦積み建築物。
【請求項４】
請求項１記載の煉瓦積み建築物において、上記面状煉瓦体の目地の一部に通気用スリットを設けることを特徴とする煉瓦積み建築物。
【請求項５】
請求項４記載の煉瓦積み建築物において、上記通気用スリットが縦目地の一部に形成されることを特徴とする煉瓦積み建築物。
【請求項６】
請求項５記載の煉瓦積み建築物において、上記通気用スリットが下から２段目の縦目地に設けられることを特徴とする煉瓦積み建築物。
【請求項７】
請求項６記載の煉瓦積み建築物において、上記通気用スリットが１本おきの縦目地に設けられることを特徴とする煉瓦積み建築物。
【請求項８】
請求項１記載の煉瓦積み建築物において、上記横筋及び上記控金具は上記面状煉瓦体の目地の中に埋設されることを特徴とする煉瓦積み建築物。
【発明の詳細な説明】
【技術分野】
【０００１】
本願発明は煉瓦を用いた木造建築物に関し、とくにその外壁部分を改良した煉瓦積み建築物に関する。
【背景技術】
【０００２】
煉瓦積み建築物は、夏期に涼しく冬期に暖かいと言われており、住環境の快適化に相応しいようにみえる。
【０００３】
また、煉瓦は長年月経過後も質感や色合いが褪せず逆に重厚感や雰囲気が醸成されるため、外国では人気となっている。
【０００４】
ところで木造建築物の外壁に煉瓦を施工する場合、従来は図８に示すように、煉瓦１０８を薄くスライスし、このスライスした煉瓦１０８を壁１０３を構成する構造用合板１０５に圧着していた。図中、１０８ａはモルタルである。
【０００５】
しかしながら、我国のような地震多発国においては、このような構造の煉瓦積み建築物では耐震性の問題があるため普及していないのが現実である。
【０００６】
その理由として、このような構造の煉瓦積み建築物では積み上げられる煉瓦１０８の全荷重を木造の壁１０３が負担していること、積み上げられる煉瓦１０８の荷重により木造の壁１０３に外側方向及び鉛直方向への力が発生すること、よって地震時の揺れや振動によりモルタル１０８ａが剥離したりあるいはモルタル１０８ａごと木造の壁１０３が剥離し、これにより煉瓦１０８の倒壊が起こることによると考えられている。
【０００７】
また従来は木造の壁１０３と煉瓦１０８がモルタル１０８ａにより直接貼着されていたため、木造の壁１０３の乾燥化が困難であり、このため木造の壁１０３が腐朽しやすい。木造の壁１０３が腐朽すれば、地震時の揺れや振動により壁面ごと煉瓦１０８の倒壊が起こり易くなる。
【０００８】
そこで特許文献１に挙げる煉瓦積み建築物が提案されている。
【特許文献１】特許第３６８６３４６号特許公報
【０００９】
これは、煉瓦製の外壁と柱との間に断熱材を設け、該断熱材と煉瓦製外壁との間に間隙を設けて該断熱材を柱に固定する外張り断熱構造及びその施工方法である。
【００１０】
しかしながら、特許文献１の建物は上記間隙を設けるために板状材をベタ基礎の上面まで隙間なく立設し、ベタ基礎の耐圧盤部分を土台の位置まで上げて床下空間がない。このため、べた基礎のコンクリートから発生する水分が断熱材の影響で室内側にのみ出てくることになり、土台及びフローリングなどの仕上材を腐らせる原因になる。
【００１１】
また壁の断熱材が室外側にある外断熱工法であるため、断熱材を固定する金具が断熱材を貫通し、該金具が室内側にある柱に直接固着される。このため、この金具が貫通される部分の断熱材を切損せしめるだけでなく、該金具を介して外部の熱が伝導される、いわゆる熱橋現象（ヒートブリッジ）を生ぜしめ、これにより室内側で結露が発生し木材等を腐朽させる原因となる。この結露は発生位置が壁内であるため発見が遅れるおそれがあり、この場合腐朽が悪化し建物の耐久性、耐震性に影響を与えることになる。
【発明の開示】
【発明が解決しようとする課題】
【００１２】
そこで本願発明の解決しようとする課題は、地震時の揺れや振動により煉瓦からなる壁面が倒壊しない煉瓦積み建築物を供することにある。
【００１３】
また本願発明の他の課題は、壁面を構成する壁構造材を乾燥させて腐朽化を防止することであり、これによっても煉瓦積み建築物に耐震性を付与することにある。
【課題を解決するための手段】
【００１４】
上記目的達成のため、本願発明による煉瓦積み建築物は、木造建築物において、壁を構成する壁構造材と、該壁構造材の外側に間隔をあけて基礎に立設される複数の縦筋と、最下段の煉瓦が基礎に固着されるとともに上記縦筋が挿通される煉瓦を含め多数の煉瓦を積み上げてなる面状煉瓦体と、上記壁構造材の適宜箇所に固着される複数の控金具と、該控金具に支承される複数の横筋とからなり、上記横筋は上記縦筋の外側に連係して配設され、上記壁構造材と上記面状煉瓦体との間に一定の間隙からなる通気層を設け、該通気層を上記基礎と１階床との間に設ける床下空間に連通させ、外気を上記通気層及び床下空間に流通させることを特徴とする。
また、請求項１記載の煉瓦積み建築物において、上記基礎の立上り部に床下換気口を設け該床下換気口に対応する部位の面状煉瓦体に開口部を設けることを特徴とする。
また、請求項１記載の煉瓦積み建築物において、上記壁構造材は断熱材を内蔵することを特徴とする。
また、請求項１記載の煉瓦積み建築物において、上記面状煉瓦体の目地の一部に通気用スリットを設けることを特徴とする。
また、請求項４記載の煉瓦積み建築物において、上記通気用スリットが縦目地の一部に形成されることを特徴とする。
また、請求項５記載の煉瓦積み建築物において、上記通気用スリットが下から２段目の縦目地に設けられることを特徴とする。
また、請求項６記載の煉瓦積み建築物において、上記通気用スリットが１本おきの縦目地に設けられることを特徴とする。
また、請求項１記載の煉瓦積み建築物において、上記横筋及び上記控金具は上記面状煉瓦体の目地の中に埋設されることを特徴とする。
【発明の効果】
【００１５】
地震時の揺れや振動により水平方向に力が加わると、面状煉瓦体は内部の縦筋が横筋により抑えられるので外方向への移動を制限される。該横筋は壁構造材に固着された控金具に挟み込まれており、面状煉瓦体と壁構造材とは一体化している。このため横筋の移動が壁構造材に伝達され、面状煉瓦体は壁構造材と同一の方向に揺れる。よって地震時の揺れや振動を建物全体で支持するので壁面の煉瓦の倒壊を防止することができる。
【００１６】
また壁構造材と面状煉瓦体との間には一定の間隙からなる通気層が設けられており、該通気層を基礎と１階床との間に設ける床下空間に連通させ、外気を上記通気層及び床下空間に流通させるため、壁構造材が常時乾燥状態となる。よって壁構造材の腐朽が防止されるので、壁構造材に支持される面状煉瓦体の倒壊を防止し、耐震性のある煉瓦積み建築物とすることができる。
【発明を実施するための最良の形態】
【００１７】
次に、実施の形態を示す図面に基づき本願発明による煉瓦積み建築物をさらに詳しく説明する。なお、便宜上同一の機能を奏する部分には同一の符号を付してその説明を省略する。
【００１８】
図１乃至図６は本願発明による煉瓦積み建築物１を木造建築物に適用した場合である。木造建築物とは柱、梁、壁、床等構造耐力上主要な部分が木造である建築物をいう。１は煉瓦積み建築物であり、３はその壁の部分を示す。壁３を構成する壁構造材５は、所定厚（例えば１２．５ｍｍ厚）の構造用合板５ａと、石膏ボード５ｂと、所定巾（例えば巾８９ｍｍ）の縦枠５ｃと、該縦枠５ｃ間を連結する上枠（図示省略）及び下枠５ｆ（図４に示す）とからなり、該縦枠５ｃが適宜間隔ごとに配設されて上記上枠及び下枠５ｆを連結固着する。上記構造用合板５ａの外側面には透湿性防水シート５ｄが貼着される。また上記石膏ボード５ｂの外側面には防湿気密フィルム５ｇを入れ、さらに隣接する縦枠５ｃ間には、気密性・断熱性を一層高めるため、硬質ウレタンフォーム又は高性能グラスウールからなる断熱材５ｅを設ける。
【００１９】
７は壁３を構成する面状煉瓦体である。該面状煉瓦体７は所定厚例えば厚さ７０ｍｍの多数の煉瓦８を所定の積方にて積み上げてなり、内部に多数の縦筋９及び多数の横筋１１を有する。該縦筋９はコンクリートからなる基礎１３に適宜間隔をあけて立設される。各縦筋９は下端部９ａをＬ字状に屈曲して基礎１３からの離脱を防止するとともに、上端より面状煉瓦体７を構成する煉瓦８の孔部８ａに貫通挿入される。面状煉瓦体７を構成する煉瓦８の積み上げは、図示例の場合、横目地１７及び縦目地１８が馬踏目地となるように積み上げてある。
【００２０】
１５は上記壁構造材５に固着された控金具である。該控金具１５は上記構造用合板５ａの縦枠５ｃを配設した部位に、煉瓦８を所定段例えば５段ごとに列状に設置固着する。該控金具１５間には水平方向にわたって上記横筋１１を載置挟着する。該横筋１１は、図２に最適に示すように、上記縦筋９の外側であって、かつ上記縦筋９が該横筋１１に当接するように配設され、全体として、縦筋９及び横筋１１にて格子状に連絡・連係するように組み上げる。各横筋１１は上記面状煉瓦体７のモルタルからなる横目地１７の中に埋設される。各目地１７、１８を構成するモルタルの配合比は本実施例の場合、砂７，セメント２、石灰１の割合である。
【００２１】
１９は上記壁構造材５と上記面状煉瓦体７との間に設けられる通気層である。該通気層１９は上記控金具１５の突設度合いを適宜に規制することにより、層厚を調節する。本例では通気層１９の厚さは３０ｍｍである。２１は通気用スリットであり、上記面状煉瓦体７を構成する下から２段目の縦目地１８を１本おきに切欠して設ける。
【００２２】
２２は床下空間であり、上記基礎１３と構造用合板及び適宜の化粧材からなる１階床２３との間に設ける空間からなる。設床下空間２２は上記基礎１３の立上り部１４に設ける床下換気口２４を介して上記通気層１９に連通する。該床下換気口２４は上記立上り部１４に設けた開口からなり、この開口に通気層１９側の面にメッシュ状開口部２４ａを設け、反対側の面にワイヤ（図示省略）を上下方向に入れた床下換気ボックスを取り付けてなる。２５は面状煉瓦体７に設ける開口部であり、２段目と３段目の煉瓦を隣接する通気用スリット２１の幅にて切欠して設ける。２５ａは該開口部２５に設ける傾斜部であり、煉瓦８を傾斜して形成する。かかる開口部２５は上記床下換気口２４に対応する部位に設ける。
図中、２６は該１階床２３を支承する床根太、２７は上記基礎１３の上に固定されて上記床根太２５を支承する土台、２８は地盤に敷かれる栗石である。
【００２３】
図２を参照して壁３の作製につき説明する。基礎工事において縦筋９を基礎コンクリートの上方より突出した状態で基礎１３に立設する。一方、壁構造材５を構成する各材料にて木造壁をつくる。面状煉瓦体７を構成する煉瓦８の孔部８ａに上記縦筋９を挿通しながら多数の煉瓦８を所定の積方にて積み上げる。各煉瓦８はモルタルからなる横目地１７及び縦目地１８にて接着していく。このとき下から２段目の縦目地１８については、図２に示すように、１本おきにモルタルを入れないようにして当該箇所に通気用スリット２１を形成する。
【００２４】
煉瓦８を積み上げる際、所定段例えば５段積み上げたら５段目に対応する高さの壁構造材５に控金具１５を取り付ける。水平方向に控金具１５を列状に取り付けた後、一連の該控金具１５に横筋１１を載置し、控金具１５の突状端部１５ａを折曲げて横筋１１を挟着する。これにより該横筋１１は一連の控金具１５に支承される。図２はかかる状態を示す。次いで次の一群の煉瓦８を５段積み上げ、上記した一連の工程を繰り返していく。図１及び図５は、かくして完成された煉瓦積み建築物１を示す。
【００２５】
地震時の揺れや振動により水平方向に力が加わると、面状煉瓦体７は壁構造材５と同一の方向に揺れるので倒壊が防止される。これは、面状煉瓦体７が縦筋９及び横筋１１とにより格子状に連係され面状に支持されていること、壁構造材５と面状煉瓦体７とが一体構造であり、いずれも基礎に支持されていること、壁構造材５と面状煉瓦体７との間に通気層１９という間隙があることに由来し、上記３点が次のように有機的に関係することによる。
【００２６】
即ち、地震時の揺れや振動により水平方向に力が加わると、面状煉瓦体７は内部の縦筋９が横筋１１により外方向への移動を制限され、また該横筋１１が壁構造材５に固着された控金具１５に挟み込まれているため、これにより面状煉瓦体７と壁構造材５とは一体化し、面状煉瓦体７は壁構造材５と同一の方向に揺れ地震時の揺れや振動を建物全体で支持するので壁面の煉瓦の倒壊が防止されるのである。
【００２７】
また壁構造材５を乾燥させて腐朽化が防止される。この点を図５及び図６に基づき説明する。面状煉瓦体７の下部には床下換気口２４及び通気用スリット２１が設けられているため、この床下換気口２４及び通気用スリット２１より矢印で示す外気Ａ０が流入する。この外気Ａ０は壁構造材５と面状煉瓦体７との間に設けられた通気層１９から床下換気口２４を通って矢印Ａ１にて示すように床下空間２２に流入し、一部は矢印Ａ２にて示すように上進する。床下空間２２に流入した外気Ａ０の一部は矢印Ａ３にて示すように反対側の床下換気口２４より外部に流出し、他の一部は矢印Ａ４にて示すように通気層１９を上進する。この上進した外気Ａ２、Ａ４は屋根との接続部分よりさらに二叉に分岐し、一は矢印Ａ２１、Ａ４１にて示すように屋根裏２９を通って屋根の頂上部から屋外に流出し、他は矢印Ａ２２、Ａ４２にて示すように軒裏３１より屋外に流出する。図５及び図６の右側から流入する外気Ｂ０についても上記と同様である。なお、上記空気の流通において、床下換気口２４から流入する外気Ａ０、Ｂ０は反対側の床下換気口２４より流出することが多く、また通気用スリット２１から流入する外気Ａ０、Ｂ０は矢印Ａ２又は矢印Ａ４にて示すように通気層１９を通り上進することが多い。このように壁３内部の通気層１９内における外気Ａ０、Ｂ０の流通は常時なされているため、壁構造材５は常時乾燥状態にある。
【００２８】
この点を熱伝導との関係を踏まえて説明する。本願発明においては内断熱工法を採用し、断熱材５ｅは縦枠５ｃ間において構造用合板５ａと石膏ボード５ｂの間、即ち壁構造材５の内部にある。このため図３に最も良く示すように、控金具１５を取り付けるための固着具１６が断熱材５ｅを貫通することがない。よって、外界の熱が控金具１５を介して伝導される熱橋現象を生ずることがない。冬期においては外部に比し建物内が高温高湿となることが多いのであるが、かかるときでも熱橋現象がないので結露を生じないのである。
夏期においては建物内はクーラーの使用により外部に比し冷却されていることが多いが、この場合であっても熱橋現象がないので結露（いわゆる夏期結露）を生じないのである。よって結露による壁構造材５等の木材の腐朽を防止することができ、木材の腐朽に由来する控金具１５の離脱や壁構造材５の脱落及びこれに基づく煉瓦８乃至面状煉瓦体７の倒壊を防止する。よって耐震性のある煉瓦積み建築物とすることができる。
【００２９】
また本願発明においては通気層１９が床下空間２２と連通しているため、床下空間２２に流出している基礎１３からの湿気が反対側の床下換気口２４から流出し、また通気層１９を介して屋根裏２９及び軒裏３１から外部に流出する。よって床下空間２２が自然換気され、土台２７、床根太２６への結露の発生を防止して木材の腐朽を防止する。
【００３０】
上記したところを別の観点からさらに説明する。図５及び図６に示すように、壁構造材５と面状煉瓦体７との間に形成される通気層１９は床下空間２２に連通されているため、これら空気層の存在により熱橋現象を生じる余地がない。しかも、建物１内は壁部分が断熱材５ｅによりまた１階床２３及び天井３２部分が他の断熱材（図示省略）により、いずれも内断熱工法によって断熱されている。このため、建物全体を断熱材による被覆によって重畳的に遮熱するから、建物全体にて外部の熱の伝導を防止することになる。加えて、基礎１３から生ずる水分は床下空間２２にあり、この水分は上記した外気の流れに乗って外部に流出し、室内側にでてくることはない。かかることによっても、木材部分の腐朽を防止し、木材の腐朽に由来する控金具１５の離脱や壁構造材５の脱落及びこれに基づく煉瓦８乃至面状煉瓦体７の倒壊を防止する。
【００３１】
上記実施の形態においては通気用スリット２１を１本おきにしてあるため、十分な通気量の確保と面状煉瓦体７の固定の安定性という本来両立の困難な課題の同時達成を図ることができる。この点を図７に基づき詳細に説明する。煉瓦８１は煉瓦８２に縦目地１８ａにて固着されており、該煉瓦８２は縦筋９１に固定されている。上記煉瓦８２に通気用スリット２１ａを介して隣接する煉瓦８３は煉瓦８４に縦目地１８ｂにて固着されており、該煉瓦８４は縦筋９２に固定されている。上記煉瓦８４に通気用スリット２１ｂを介して隣接する煉瓦８５は煉瓦８６に縦目地１８ｃにて固着されており、該煉瓦８６は縦筋９３に固定されている。上記煉瓦８６に通気用スリット２１ｃを介して隣接する煉瓦８７は煉瓦８８に縦目地１８ｄにて固着されており、該煉瓦８８は縦筋９４に固定されている。上記煉瓦８８に通気用スリット２１ｄを介して隣接する煉瓦８９以下の固着についても前記と同様である。同列に属する一群の煉瓦８は、このように通気用スリット２１が１本おきの縦目地１８に設けられているため、通気孔としての通気用スリット２１を設けても実質的に分断されることなく強固に緊結される。よって面状煉瓦体７の固定の安定性を図るとともに十分な通気量の確保を図ることができるので、地震時の揺れや振動に際し煉瓦８の脱落を防止し、面状煉瓦体７の倒壊が防止される。
【００３２】
また内断熱工法を採用するため、断熱材５ｅの厚さを自在に調節することができ、これにより外気温の影響をさらに受け難くすることが可能である。
【００３３】
また、上記実施の形態においては煉瓦８を馬踏目地による積み上げとしてあるため、煉瓦荷重の分散を図り、これによってもより倒壊し難い構造としている。
【００３４】
さらに、通気層１９という空気層が介在しているため、外気温の影響を受け難く、また遮音性を一層向上せしめる効果がある。よって煉瓦８が元来有する外気温遮断性、遮音性を一層効果的に発揮することができる。
【００３５】
本願発明は上記した実施の形態に限定されない。例えば煉瓦の積み上げ方は縦筋９及び横筋１１を埋設できるような積方であれば任意である。
【００３６】
また縦筋９及び横筋１１並びに控金具１５の個数は任意である。
【００３７】
また通気用スリット２１の設置部位は面状煉瓦体７の下部であれば任意である。
【００３８】
また壁構造材５の構成材料は木造壁であれば任意である。
【００３９】
また、断熱材５ｅの素材についても適宜のものにすることができる。
【００４０】
また壁構造材５の構成材料及び面状煉瓦体７を構成する煉瓦８並びに通気層１９について、上記実施例中で述べた各種数値は一例として理解すべきであり、適宜に変更可能である。
【産業上の利用可能性】
【００４１】
本願発明は煉瓦積みの建築物として活用することができる。
【図面の簡単な説明】
【００４２】
【図１】本願発明による煉瓦積み建築物の実施の形態を示す正面図である。
【図２】（Ａ）は図１ＩＩ部の斜視図、（Ｂ）は（Ａ）のＢ部端面図である。
【図３】図２ＩＩＩ−ＩＩＩ断面図である。
【図４】図２ＩＶ−ＩＶ断面図である。
【図５】（Ａ）は図１Ｖ部視の一部省略側面断面図、（Ｂ）は（Ａ）のＢ部矢視図である。
【図６】（Ａ）は図１ＶＩ部視の一部省略側面断面図、（Ｂ）は（Ａ）のＢ部矢視図である。
【図７】本願発明による煉瓦積み建築物の実施の形態を示す斜視図で、作用を説明するために用いる。
【図８】従来の煉瓦積み建築物の一例を示す図で、要部縦断面図である。
【符号の説明】
【００４３】
１      煉瓦積み建築物
３      壁
５      壁構造材
５ａ    構造用合板
５ｂ    石膏ボード
５ｃ    縦枠
５ｄ    防水シート
５ｅ    断熱材
５ｆ    下枠
５ｇ    防湿気密フィルム
７      面状煉瓦体
８      煉瓦
８ａ    孔部
９      縦筋
９ａ    下端部
１１    横筋
１３    基礎
１４    立上り部
１５    控金具
１５ａ  突状端部
１６    固着具
１７    横目地
１８    縦目地
１９    通気層
２１    通気用スリット
２２    床下空間
２３    １階床
２４    床下換気口
２４ａ  メッシュ状開口部
２５    開口部
２５ａ  傾斜部
２６    床根太
２７    土台
２８    栗石
２９    屋根裏
３１    軒裏
３２    天井
【図１】
2007284973.tif 000003
【図２】
2007284973.tif 000004
【図３】
2007284973.tif 000005
【図４】
2007284973.tif 000006
【図５】
2007284973.tif 000007
【図６】
2007284973.tif 000008
【図７】
2007284973.tif 000009
【図８】
2007284973.tif 000010